(57)【要約】【課題】コネクタ本体における孔や凹部の増加を抑制できるコネクタを得る。【解決手段】本コネクタ１０のケース１２の左側壁部５０には、左側抑制部５０が形成されており、フロント部品４０の左側係合部６２の左側係合面６４が左側抑制部５０の左側当接面５２に当接される。また、ケース１２の右側壁部５０には、右側抑制部５４が形成されており、フロント部品４０の右側係合部６６の右側係合面６８が右側抑制部５４の右側当接面５６に当接される。これによって、フロント部品４０のケース１２に対する前側への変位を抑制できる。【選択図】図１
2018041567.tif 000002
【特許請求の範囲】
【請求項１】
厚さ方向及び高さ方向に対して直交する延び方向側へ延びる壁部を有するコネクタ本体と、
前記壁部の厚さ方向一側に配置される配置部品と、
前記壁部の厚さ方向一側に設けられ、前記配置部品が前記壁部の厚さ方向一側に配置された状態で前記配置部品が係合され、前記壁部の延び方向一側への前記配置部品の前記コネクタ本体に対する変位を抑制する抑制手段と、
を備えるコネクタ。
【請求項２】
前記配置部品は、前記抑制手段との係合状態で前記コネクタ本体に対する前記壁部の厚さ方向一側への変位が前記抑制手段によって抑制される請求項１に記載のコネクタ。
【請求項３】
前記抑制手段は、前記壁部の延び方向他側に対して前記壁部の厚さ方向他側へ向いた斜面を有し、前記配置部品は、前記抑制手段へ係合された状態で前記斜面へ当接可能とされた請求項２に記載のコネクタ。
【請求項４】
前記配置部品は、前記壁部の高さ方向一側から直線的に移動されて前記壁部の厚さ方向一側に配置される請求項１から請求項３の何れか１項に記載のコネクタ。
【請求項５】
前記配置部品の前記壁部との対向部分及び前記壁部の一方に設けられ、前記配置部品の前記壁部との対向部分及び前記壁部の他方側へ開口された孔部と、
前記他方に設けられ、前記壁部の高さ方向一側から前記孔部に接近されて前記配置部品が前記壁部の厚さ方向一側に配置されることによって前記孔部に対向され、前記孔部へ入ることによって前記配置部品の前記コネクタ本体に対する前記壁部の高さ方向側への変位が抑制される突部と、
を備える請求項４に記載のコネクタ。
【発明の詳細な説明】
【技術分野】
【０００１】
本発明は、コネクタ本体に配置部品が配置されるコネクタに関する。
【背景技術】
【０００２】
コネクタを構成するケース等のコネクタ本体には、例えば、フロント部品、フロントホルダ、フロントブロック等と称される配置部品が配置される。このようなコネクタ本体には、例えば、孔又は凹部が形成されており、このような孔又は凹部に配置部品に形成された突起が入ることによって、配置部品のコネクタ本体に対する変位が抑制される（一例として、下記特許文献１を参照）。
【０００３】
ところで、コネクタ本体を形成するための型の構造は、上記のような孔や凹部が多いほど複雑になる。
【先行技術文献】
【特許文献】
【０００４】
【特許文献１】特開２００７−３２４０５０号公報
【発明の概要】
【発明が解決しようとする課題】
【０００５】
本発明は、上記事実を考慮し、コネクタ本体における孔や凹部の増加を抑制できるコネクタを得ることが目的である。
【課題を解決するための手段】
【０００６】
請求項１に記載のコネクタは、厚さ方向及び高さ方向に対して直交する延び方向側へ延びる壁部を有するコネクタ本体と、前記壁部の厚さ方向一側に配置される配置部品と、前記壁部の厚さ方向一側に設けられ、前記配置部品が前記壁部の厚さ方向一側に配置された状態で前記配置部品が係合され、前記壁部の延び方向一側への前記配置部品の前記コネクタ本体に対する変位を抑制する抑制手段と、を備えている。
【０００７】
請求項１に記載のコネクタによれば、コネクタ本体の壁部の厚さ方向一側に配置された配置部品は、抑制手段に係合される。これによって、配置部品は、壁部の延び方向一側への変位が抑制される。
【０００８】
ここで、抑制手段は、コネクタ本体における壁部の厚さ方向一側に設けられる。このため、壁部において壁部の厚さ方向へ開口された孔部や凹部等が増えることを抑制できる。これによって、コネクタ本体を形成するための型構造が複雑になることを抑制できる。
【０００９】
請求項２に記載のコネクタは、請求項１に記載のコネクタにおいて、前記配置部品は、前記抑制手段との係合状態で前記コネクタ本体に対する前記壁部の厚さ方向一側への変位が前記抑制手段によって抑制される。
【００１０】
請求項２に記載のコネクタによれば、配置部品は、抑制手段との係合状態でコネクタ本体に対する壁部の厚さ方向一側への変位が抑制手段によって抑制される。このため、壁部の一側への配置部品の変位を抑制するための抑制手段とは別の構成を設けることを抑制できる。
【００１１】
請求項３に記載のコネクタは、請求項２に記載のコネクタにおいて、前記抑制手段は、前記壁部の延び方向他側に対して前記壁部の厚さ方向他側へ向いた斜面を有し、前記配置部品は、前記抑制手段へ係合された状態で前記斜面へ当接可能とされている。
【００１２】
請求項３に記載のコネクタによれば、抑制手段は、壁部の延び方向他側に対して壁部の厚さ方向他側へ向いた斜面を有し、配置部品は、抑制手段へ係合された状態で抑制手段の斜面へ当接可能とされる。したがって、配置部品が抑制手段の斜面へ当接されることによって、配置部品のコネクタ本体に対する壁部の延び方向一側及び厚さ方向の一側への変位を抑制できる。
【００１３】
請求項４に記載のコネクタは、請求項１から請求項３の何れか１項に記載のコネクタにおいて、前記配置部品は、前記壁部の高さ方向一側から直線的に移動されて前記壁部の厚さ方向一側に配置される。
【００１４】
請求項４に記載のコネクタによれば、配置部品は、コネクタ本体の壁部の高さ方向一側から直線的に移動されて壁部の厚さ方向一側に配置される。このため、コネクタ本体に対する配置部品の一方向組付けが可能になり、コネクタ本体に対する配置部品の組付けが簡単になる。
【００１５】
請求項５に記載のコネクタは、請求項４に記載のコネクタにおいて、前記配置部品の前記壁部との対向部分及び前記壁部の一方に設けられ、前記配置部品の前記壁部との対向部分及び前記壁部の他方側へ開口された孔部と、前記他方に設けられ、前記壁部の高さ方向一側から前記孔部に接近されて前記配置部品が前記壁部の厚さ方向一側に配置されることによって前記孔部に対向され、前記孔部へ入ることによって前記配置部品の前記コネクタ本体に対する前記壁部の高さ方向側への変位が抑制される突部と、を備えている。
【００１６】
請求項５に記載のコネクタによれば、配置部品の壁部との対向部分及び壁部の一方に設けられた孔部に配置部品の壁部との対向部分及び壁部の他方に設けられた  突部が入ることによって配置部品のコネクタ本体に対する壁部の高さ方向側への変位が抑制される。
【００１７】
ここで、突部は、壁部の高さ方向一側から孔部へ接近されて配置部品が壁部の厚さ方向一側に配置されることによって孔部に対向される。これによって、突部は、孔部へ入ることができる。このため、配置部品がコネクタ本体の壁部の厚さ方向一側に配置された状態では、配置部品のコネクタ本体に対する壁部の延び方向側への変位のみならず、壁部の高さ方向側への変位も抑制できる。
【発明の効果】
【００１８】
以上、説明したように、本発明に係るコネクタでは、コネクタ本体における孔や凹部の増加を抑制できる。
【図面の簡単な説明】
【００１９】
【図１】本発明の一実施の形態に係るコネクタを下側から見た分解斜視図である。
【図２】（Ａ）はフロント部品の底面図で、（Ｂ）はケースの底面図である。
【図３】ケース及びフロント部品を左側から見た側面図である。
【発明を実施するための形態】
【００２０】
次に、図１から図３の各図に基づいて本発明の一実施の形態に係るコネクタの一態様である雌型のコネクタ１０について説明する。なお、各図において、矢印ＵＰは、コネクタ１０の上側を示しており、矢印ＤＷは、コネクタ１０の下側を示している。また、矢印ＦＲは、コネクタ１０の前側を示しており、矢印ＲＥは、コネクタ１０の後側を示している。さらに、矢印ＬＦは、コネクタ１０の左側を示しており、矢印ＲＴは、コネクタ１０の右側を示している。なお、これらの方向は、本実施の形態を説明するための便宜上のものであって、例えば、本コネクタ１０が適用される車両や各種装置等における各方向に一致するとは限らない。
【００２１】
図１から図３の各図に示されるように、本コネクタ１０は、コネクタ本体としてのケース１２を備えている。ケース１２は、合成樹脂材による一体成形によって形成されている。ケース１２は、背板１４を備えている。背板１４は、板状に形成されており、背板１４の厚さ方向は、前後方向（各図の矢印ＦＲ方向及び矢印ＲＥ方向）とされている。図１及び図２（Ｂ）に示されるように、背板１４の前側には、後側ターミナル配置部１６が設けられている。後側ターミナル配置部１６は、背板１４から連続して形成されている。後側ターミナル配置部１６は、ブロック状に形成されている。
【００２２】
図１に示されるように、ケース１２の後側ターミナル配置部１６の上下方向（図１及び図３の矢印ＵＰ方向及び矢印ＤＷ方向）中間部よりも下側には、複数の後下側ターミナル配置孔１８が形成されている。これらの後下側ターミナル配置孔１８は、後側ターミナル配置部１６において左右方向（図１及び図２の矢印ＬＦ方向及び矢印ＲＴ方向）に一列に並んで形成されている。
【００２３】
また、ケース１２の後側ターミナル配置部１６の上下方向中間部よりも上側には、複数の後上側ターミナル配置孔（図示省略）が形成されている。後上側ターミナル配置孔は、後側ターミナル配置部１６の左右方向中間部よりも左側部分及び右側部分にそれぞれ形成されており、後側ターミナル配置部１６の左側部分の複数の後上側ターミナル配置孔及び後側ターミナル配置部１６の右側部分の複数の後上側ターミナル配置孔は、左右方向に一列に並んで形成されている。
【００２４】
ケース１２の後下側ターミナル配置孔１８及び後上側ターミナル配置孔の各々は、ケース１２の背板１４及び後側ターミナル配置部１６を前後方向（各図の矢印ＦＲ方向及び矢印ＲＥ方向）に貫通されており、後下側ターミナル配置孔１８及び後上側ターミナル配置孔の各々の前側端は、後側ターミナル配置部１６の前側面で開口され、これらの後下側ターミナル配置孔１８及び後上側ターミナル配置孔の後側端は、ケース１２の後側面で開口されている。これらの後下側ターミナル配置孔１８及び後上側ターミナル配置孔の全て又は一部には、ターミナル（図示省略）が設けられる。
【００２５】
ターミナルは、例えば、銅合金に錫又は金等のメッキが施された金属片等の導電部材とされている。ターミナルの長手方向は、前後方向（各図の矢印ＦＲ方向及び矢印ＲＥ方向）に沿っている。また、ターミナルの長手方向中間部よりも前側部分は、筒状とされ、このターミナルの筒状部分における前後方向両端は、開口されている。これに対し、ターミナルの長手方向中間部よりも後側部分には、長尺紐状のコード（図示省略）が接続されている。
【００２６】
コードは、電線を備えている。電線は、例えば、複数の紐状又は糸状の金属細線を撚合わせることによって形成されていると共に合成樹脂材等の絶縁性の被覆部材によって被覆されている。コードの長手方向先端部では、被覆部材の長手方向先端から電線の長手方向先端部が延びており、この電線の長手方向先端部は、ターミナルの後側部分へ当接され、この状態で、ターミナルの後側部分が加締められることによってターミナルの後側部分とコードの電線とが機械的且つ電気的に接続される。コードの長手方向基端側は、ケース１２の後側ターミナル配置部１６の後下側ターミナル配置孔１８及び後上側ターミナル配置孔の後側端からケース１２の外側へ延びている。
【００２７】
一方、図１及び図２（Ｂ）に示されるように、ケース１２の後側ターミナル配置部１６の前側には、壁部としての左側壁部２０及び壁部としての右側壁部２２が設けられている。左側壁部２０は、後側ターミナル配置部１６の前側面における左側端から前側へ延びており、右側壁部２２は、後側ターミナル配置部１６の前側面における右側端から前側へ延びている。左側壁部２０及び右側壁部２２の高さ方向は、上下方向（図１及び図３の矢印ＵＰ方向及び矢印ＤＷ方向）とされている。また、左側壁部２０及び右側壁部２２の厚さ方向は、左右方向（図１及び図２の矢印ＬＦ方向及び矢印ＲＴ方向）とされ、左側壁部２０と右側壁部２２とは左右方向に対向されている。
【００２８】
また、図２（Ｂ）に示されるように、ケース１２の後側ターミナル配置部１６の前側には、上板部２４が設けられている。上板部２４は、後側ターミナル配置部１６の前側面における下側端から前側へ延びている。上板部２４の左側端は、ケース１２の左側壁部２０の上側端に繋がっており、上板部２４の右側端は、ケース１２の右側壁部２２の上側端に繋がっている。
【００２９】
このため、ケース１２における後側ターミナル配置部１６の前側には、下側へ開口された空間が形成される。この空間は、リテーナ配置部２６とされており、リテーナ配置部２６には、リテーナ（図示省略）が配置される。リテーナは、合成樹脂材等の絶縁材料によってブロック状に形成されており、リテーナは、リテーナ配置部２６に配置された状態でケース１２によって保持される。また、リテーナには、複数のリテーナ貫通孔が形成されている。これらのリテーナ貫通孔は、前後方向（各図の矢印ＦＲ方向及び矢印ＲＥ方向）にリテーナを貫通している。
【００３０】
これらのリテーナのリテーナ貫通孔は、上述したケース１２の後側ターミナル配置部１６の後下側ターミナル配置孔１８及び後上側ターミナル配置孔の各々に対応して形成されており、リテーナ貫通孔の後側端は、後下側ターミナル配置孔１８又は後上側ターミナル配置孔の車両前側端に対して前後方向に対向されている。これらのリテーナのリテーナ貫通孔には、上述したターミナルが配置されており、ターミナルの前後方向中間部がリテーナによって支持されている。
【００３１】
また、図１及び図２（Ｂ）に示されるように、ケース１２の上板部２４の下側におけるリテーナ配置部２６よりも前側部分は、前側ターミナル配置部２８とされている。前側ターミナル配置部２８は、中壁部３０を備えている。中壁部３０の左側端は、ケース１２の左側壁部２０に繋がっており、中壁部３０の右側端は、ケース１２の右側壁部２２に繋がっている。また、中壁部３０の上側端は、ケース１２の上板部２４に繋がっている。
【００３２】
中壁部３０には、複数の中壁部貫通孔（図示省略）が形成されている。これらの中壁部貫通孔は、前後方向（各図の矢印ＦＲ方向及び矢印ＲＥ方向）に中壁部３０を貫通されている。また、これらの中壁部貫通孔は、ケース１２の後側ターミナル配置部１６の後上側ターミナル配置孔及び後下側ターミナル配置孔１８の各々に対応して形成されており、中壁部貫通孔の各々の後側端は、リテーナのリテーナ貫通孔を介して後側ターミナル配置部１６の後上側ターミナル配置孔又は後下側ターミナル配置孔１８に対向されている。中壁部貫通孔には、上述したリテーナのリテーナ貫通孔に配置されたターミナルが貫通配置される。
【００３３】
また、図１に示されるように、前側ターミナル配置部２８の中壁部３０の前側には、複数の上側縦板部３２が設けられている。これらの上側縦板部３２は、ケース１２の上板部２４の左右方向中間部よりも左側部分及び右側部分に形成されており、左右方向（図１及び図２の矢印ＬＦ方向及び矢印ＲＴ方向）に並んでいる。これらの上側縦板部３２の上側端は、上板部２４に繋がっており、上側縦板部３２の後側端は、中壁部３０に繋がっている。
【００３４】
さらに、ケース１２の上側縦板部３２の下側には、中間板部３４が設けられており、上側縦板部３２の下側端は、中間板部３４に繋がっている。ケース１２の上板部２４と中間板部３４との間で且つ左右方向（図１及び図２の矢印ＬＦ方向及び矢印ＲＴ方向）に隣合う上側縦板部３２の間の空間は、前上側ターミナル配置孔３６とされている。
【００３５】
これらの前上側ターミナル配置孔３６は、ケース１２の後側ターミナル配置部１６の後上側ターミナル配置孔に対応して形成されており、前上側ターミナル配置孔３６は、リテーナのリテーナ貫通孔及び中壁部３０の中壁部貫通孔を介して後側ターミナル配置部１６の後上側ターミナル配置孔と前後方向（各図の矢印ＦＲ方向及び矢印ＲＥ方向）に対向されている。上述したリテーナのリテーナ貫通孔のうち、後側ターミナル配置部１６の後上側ターミナル配置孔に対応したリテーナ貫通孔に配置されたターミナルの筒状部分（ターミナルの前側部分）は、前上側ターミナル配置孔３６に挿入される。
【００３６】
一方、図１に示されるように、ケース１２の前側ターミナル配置部２８の中間板部３４の下側には、複数の下側縦板部３８が設けられている。これらの下側縦板部３８は、左右方向に所定の間隔をおいてケース１２の中間板部３４から下側へ延びている。ケース１２の中間板部３４の下側において左右方向に隣合う下側縦板部３８の間の空間は、前下側ターミナル配置孔４４とされている。また、下側縦板部３８の下側には、配置部品としてのフロント部品４０の下板部４２が配置され、前下側ターミナル配置孔４４の下側は、フロント部品４０の下板部４２によって閉止されている。
【００３７】
これらの前下側ターミナル配置孔４４は、ケース１２の後側ターミナル配置部１６の後下側ターミナル配置孔１８に対応して形成されており、前下側ターミナル配置孔４４は、リテーナのリテーナ貫通孔及び中壁部３０の中壁部貫通孔を介して後側ターミナル配置部１６の後下側ターミナル配置孔１８と前後方向（各図の矢印ＦＲ方向及び矢印ＲＥ方向）に対向されている。上述したリテーナのリテーナ貫通孔うち、後側ターミナル配置部１６の後下側ターミナル配置孔１８に対応したリテーナ貫通孔に配置されたターミナルの筒状部分（ターミナルの前側部分）は、前下側ターミナル配置孔４４に挿入される。
【００３８】
一方、図１、図２（Ａ）、図３の各図に示されるように、フロント部品４０は、前壁部４６を備えている。前壁部４６の下側端は、フロント部品４０の下板部４２の前側端に繋がっている。図１に示されるように、前壁部４６には、複数のガイド孔４８が形成されている。これらのガイド孔４８は、前壁部４６を前後方向（各図の矢印ＦＲ方向及び矢印ＲＥ方向）に貫通されている。また、これらのガイド孔４８を、その貫通方向に対して直交する方向に切った断面形状は、四角形（例えば、長方形）とされている。
【００３９】
また、フロント部品４０の前壁部４６のガイド孔４８の形状は、後側へ向けてガイド孔４８の断面形状が小さくなる四角錐台形状とされている。これらのガイド孔４８は、ケース１２の前側ターミナル配置部２８の前上側ターミナル配置孔３６及び前下側ターミナル配置孔４４に対応しており、ガイド孔４８の後側端は、前上側ターミナル配置孔３６又は前下側ターミナル配置孔４４の前側端に対して前後方向（各図の矢印ＦＲ方向及び矢印ＲＥ方向）に対向されている。
【００４０】
これらのフロント部品４０の前壁部４６のガイド孔４８の前側からは、雌型のコネクタ１０と対を成す雄型のコネクタ（図示省略）のターミナルが挿入される。雄型のコネクタのターミナルは、棒状に形成されており、雄型のコネクタのターミナルの長手方向は、前後方向（各図の矢印ＦＲ方向及び矢印ＲＥ方向）に沿っている。雄型のコネクタのターミナルの長手方向先端部（後側端部）がガイド孔４８に挿入されてガイド孔４８の後側端から突出されると、雄型のコネクタのターミナルの長手方向先端部が雌型のコネクタ１０のターミナルの筒状部分（前側部分）に挿入される。これによって、雄型のコネクタのターミナルと雌型のコネクタ１０のターミナルとが機械的且つ電気的に接続される。
【００４１】
一方、図１及び図２（Ｂ）に示されるように、ケース１２の左側壁部２０及び右側壁部２２の各々の前側部分は、ケース１２の前側ターミナル配置部２８よりも前側へ延びている。前側ターミナル配置部２８よりも前側に位置する左側壁部２０の前側端部には、抑制手段としての左側抑制部５０が設けられている。左側抑制部５０は、左側壁部２０の右側（左側壁部２０の厚さ方向一側）に形成されている。また、左側抑制部５０は、左側壁部２０の下側端と上側端との間で連続して形成されており、左側抑制部５０の左側端は、左側壁部２０に繋がっている。左側抑制部５０は、斜面としての左側当接面５２を備えている。左側当接面５２は、後側に対して左側へ傾斜した方向へ向いている。
【００４２】
これに対し、ケース１２の前側ターミナル配置部２８よりも前側に位置する右側壁部２２の前側端部には、抑制手段としての右側抑制部５４が設けられている。右側抑制部５４は、右側壁部２２の左側（右側壁部２２の厚さ方向一側）に形成されている。また、右側抑制部５４は、右側壁部２２の下側端と上側端との間で連続して形成されており、右側抑制部５４の右側端は、右側壁部２２に繋がっている。右側抑制部５４は、斜面としての右側当接面５６を備えている。右側当接面５６は、後側に対して右側へ傾斜した方向へ向いている。
【００４３】
一方、図１及び図２（Ａ）に示されるように、フロント部品４０の前壁部４６には、左側切欠部５８及び右側切欠部６０が形成されている。左側切欠部５８は、前壁部４６の左側端部に形成されており、左側切欠部５８は、前側、左側、上側、下側へ開放されている。これに対して、右側切欠部６０は、前壁部４６の右側端部に形成されており、右側切欠部６０は、前側、右側、上側、下側へ開放されている。
【００４４】
フロント部品４０の前壁部４６において左側切欠部５８及び右側切欠部６０が形成された部分の左右方向（図１及び図２の矢印ＬＦ方向及び矢印ＲＴ方向）寸法は、左側切欠部５８及び右側切欠部６０よりも後側での前壁部４６の左右方向寸法よりも短くされている。また、前壁部４６において左側切欠部５８及び右側切欠部６０が形成された部分の左右方向寸法は、ケース１２の左側抑制部５０の右側面と右側抑制部５４の左側面との間隔以下とされ、フロント部品４０がケース１２に組付けられた状態では、前壁部４６における左側切欠部５８及び右側切欠部６０の形成部分が左側抑制部５０と右側抑制部５４との間に配置される。
【００４５】
また、フロント部品４０の前壁部４６の左側切欠部５８には、左側係合部６２が形成されており、フロント部品４０がケース１２に組付けられた状態では、左側係合部６２がケース１２の左側壁部２０の右側面とケース１２の左側抑制部５０の左側当接面５２との間に入る。この左側係合部６２は、左側係合面６４を備えている。フロント部品４０がケース１２に組付けられた状態で、左側係合面６４は、ケース１２の左側抑制部５０の左側当接面５２に対して平行になるように形成されており、フロント部品４０がケース１２に組付けられた状態では、フロント部品４０の左側係合面６４がケース１２の左側抑制部５０の左側当接面５２に当接される。
【００４６】
これに対し、フロント部品４０の前壁部４６の右側切欠部６０には、右側係合部６６が形成されており、フロント部品４０がケース１２に組付けられた状態では、右側係合部６６がケース１２の右側壁部２２の左側面とケース１２の右側抑制部５４の右側当接面５６との間に入る。この右側係合部６６は、右側係合面６８を備えている。フロント部品４０がケース１２に組付けられた状態で、右側係合面６８は、ケース１２の右側抑制部５４の右側当接面５６に対して平行になるように形成されており、フロント部品４０がケース１２に組付けられた状態では、フロント部品４０の右側係合面６８がケース１２の右側抑制部５４の右側当接面５６に当接される。
【００４７】
一方、図１及び図３に示されるように、ケース１２の左側壁部２０及び右側壁部２２の各々には、孔部７０が形成されている（右側壁部２２の孔部７０については図示省略）。孔部７０は、前後方向（各図の矢印ＦＲ方向及び矢印ＲＥ方向）に長いスリット状とされており、左右方向（図１及び図２の矢印ＬＦ方向及び矢印ＲＴ方向）に左側壁部２０又は右側壁部２２を貫通されている。
【００４８】
これらの孔部７０に対応して、フロント部品４０には、一対の側板部７２が設けられている。一方の側板部７２は、フロント部品４０の左側端に設けられている。この一方の側板部７２の下側端は、フロント部品４０の下板部４２の左側端に繋がっており、一方の側板部７２の前側端は、フロント部品４０の前壁部４６の左側端に繋がっている。フロント部品４０がケース１２に組付けられた状態では、一方の側板部７２がケース１２の左側壁部２０の右側でケース１２の左側壁部２０に対向される。
【００４９】
これに対し、フロント部品４０の一対の側板部７２の他方は、フロント部品４０の右側端に設けられている。この他方の側板部７２の下側端は、フロント部品４０の下板部４２の右側端に繋がっており、他方の側板部７２の前側端は、フロント部品４０の前壁部４６の右側端に繋がっている。フロント部品４０がケース１２に組付けられた状態では、他方の側板部７２がケース１２の右側壁部２２の左側でケース１２の右側壁部２２に対向される。
【００５０】
このフロント部品４０の一対の側板部７２には、それぞれ突部７４（右側の側板部７２の突部７４に関しては図示省略）が形成されている左側の側板部７２の突部７４は、左側の側板部７２の左側面から突出されている。この左側の側板部７２の突部７４の左側面は、上側へ傾斜されており、このため、左側の側板部７２の突部７４の左側への突出寸法は、上側へ向けて小さくなっている。フロント部品４０がケース１２に組付けられた状態で、左側の側板部７２の突部７４は、ケース１２の左側壁部２０の孔部７０に入り、左側の側板部７２の突部７４の下側面と、ケース１２の左側壁部２０の孔部７０の下側面とが当接される。
【００５１】
これに対し、フロント部品４０の右側の側板部７２の突部７４は、右側の側板部７２の右側面から突出されている。この右側の側板部７２の突部７４の右側面は、上側へ傾斜されており、このため、右側の側板部７２の突部７４の右側への突出寸法は、上側へ向けて小さくなっている。フロント部品４０がケース１２に組付けられた状態で、右側の側板部７２の突部７４は、ケース１２の右側壁部２２の孔部７０に入り、右側の側板部７２の突部７４の下側面と、ケース１２の右側壁部２２の孔部７０の下側面とが当接される。
【００５２】
＜本実施の形態の作用及び効果＞
本コネクタ１０では、フロント部品４０がケース１２における前側ターミナル配置部２８よりも前側の配置位置に配置され、フロント部品４０がケース１２に組付けられる。フロント部品４０がケース１２に組付けられる際には、フロント部品４０がケース１２におけるフロント部品４０の配置位置の下側から上側へ移動されてケース１２におけるフロント部品４０の配置位置へ直線的に接近される。これによって、フロント部品４０の前壁部４６の下側部分では、前壁部４６の左側係合部６２がケース１２の左側壁部２０の右側面とケース１２の左側抑制部５０の左側当接面５２との間に入り、前壁部４６の右側係合部６６がケース１２の右側壁部２２の左側面とケース１２の右側抑制部５４の右側当接面５６との間に入る。
【００５３】
この状態で、更に、フロント部品４０が上側へ移動されると、フロント部品４０の一対の側板部７２に形成された各突部７４がケース１２の左側壁部２０又は右側壁部の下側端に当接される。この状態で、更に、フロント部品４０が上側へ移動されると、フロント部品４０の一対の側板部７２が左右方向（図１及び図２の矢印ＬＦ方向及び矢印ＲＴ方向）中央側へ弾性変形される。
【００５４】
このようにして、フロント部品４０がケース１２におけるフロント部品４０の配置位置まで上側へ直線的に移動されると、フロント部品４０の各突部７４が左右方向にケース１２の左側壁部２０の孔部７０又は右側壁部の孔部７０に対向される。このように、フロント部品４０の各突部７４が左側壁部２０の孔部７０又は右側壁部の孔部７０に対向されると、フロント部品４０の側板部７２が、弾性的な復元力によって移動され、これによって、フロント部品４０の各突部７４が、左側壁部２０の孔部７０又は右側壁部の孔部７０に入る。
【００５５】
このようにして、フロント部品４０がケース１２におけるフロント部品４０の配置位置に配置された状態では、フロント部品４０の下板部４２の後側端が、ケース１２の前側ターミナル配置部２８の中壁部３０の前側端に当接される。このため、ケース１２に対するフロント部品４０の後側への変位が抑制される。
【００５６】
また、本コネクタ１０では、ケース１２の左側抑制部５０の左側当接面５２は、後側に対して左側へ傾斜した方向へ向いており、ケース１２の右側抑制部５４の右側当接面５６は、後側に対して右側へ傾斜した方向へ向いている。フロント部品４０がケース１２におけるフロント部品４０の配置位置に配置された状態では、フロント部品４０の左側係合部６２の左側係合面６４がケース１２の左側抑制部５０の左側当接面５２に当接され、右側係合部６６の右側係合面６８がケース１２の右側抑制部５４の右側当接面５６に当接される。これによって、フロント部品４０のケース１２に対する前側への変位が抑制される。
【００５７】
さらに、上記のように、ケース１２の左側抑制部５０の左側当接面５２は、後側に対して左側へ傾斜した方向へ向いており、左側当接面５２へ当接されるフロント部品４０の左側係合面６４は、左側当接面５２に対向している。このため、フロント部品４０のケース１２に対する右側への変位が抑制される。また、上記のように、ケース１２の右側抑制部５４の右側当接面５６は、後側に対して右側へ傾斜した方向へ向いており、右側当接面５６へ当接されるフロント部品４０の右側係合面６８は、右側当接面５６に対向している。このため、フロント部品４０のケース１２に対する左側への変位が抑制される。
【００５８】
さらに、フロント部品４０がケース１２におけるフロント部品４０の配置位置に配置された状態では、フロント部品４０の下板部４２がケース１２の下側縦板部３８の下側端に当接される。これによって、フロント部品４０のケース１２に対する上側への変位が抑制される。
【００５９】
また、フロント部品４０がケース１２におけるフロント部品４０の配置位置に配置された状態では、フロント部品４０の一対の側板部７２の各突部７４の下側面がケース１２の左側壁部２０及び右側壁部２２の各孔部７０の下側面に当接される。これによって、フロント部品４０のケース１２に対する下側への変位が抑制される。
【００６０】
このようにして、フロント部品４０がケース１２におけるフロント部品４０の配置位置に配置された状態では、フロント部品４０のケース１２に対する前後方向（各図の矢印ＦＲ方向及び矢印ＲＥ方向）、左右方向（図１及び図２の矢印ＬＦ方向及び矢印ＲＴ方向）、上下方向（図１及び図３の矢印ＵＰ方向及び矢印ＤＷ方向）への変位が抑制される。これによって、ケース１２からのフロント部品４０の脱落を効果的に抑制できる。
【００６１】
また、上記のように、フロント部品４０がケース１２におけるフロント部品４０の配置位置に配置された状態では、フロント部品４０のケース１２に対する変位を抑制できるため、フロント部品４０の前壁部４６のガイド孔４８がケース１２の前側ターミナル配置部２８の前上側ターミナル配置孔３６及び前下側ターミナル配置孔４４に対して左右方向（図１及び図２の矢印ＬＦ方向及び矢印ＲＴ方向）及び上下方向（図１及び図３の矢印ＵＰ方向及び矢印ＤＷ方向）にずれることを抑制できる。このため、雌型のコネクタ１０と対を成す雄型のコネクタのターミナルを、フロント部品４０のガイド孔４８の内側面によって誘導して雌型のコネクタ１０のターミナルの筒状部分（前側部分）に挿入できる。これによって、雄型のコネクタのターミナルと雌型のコネクタ１０のターミナルとを容易に接続できる。
【００６２】
ところで、本コネクタ１０では、ケース１２の左側抑制部５０は、ケース１２の左側壁部２０の右側に形成されており、ケース１２の右側抑制部５４は、ケース１２の右側壁部２２の左側に形成されている。このような左側抑制部５０及び右側抑制部５４は、ケース１２を成形する金型に左右方向（図１及び図２の矢印ＬＦ方向及び矢印ＲＴ方向）へスライド可能なスライドコア等の特別な構成を設けなくても形成できる。このため、ケース１２を成形するための金型におけるスライドコア等の特別な構成の増加を抑制でき、金型の構造を簡素化できる。これによって、金型を低コストにでき、ひいては、コネクタ１０を低コストにできる。
【００６３】
また、このようなケース１２の左側抑制部５０及び右側抑制部５４によってフロント部品４０のケース１２に対する前側、左側、右側への変位を抑制できる。このため、フロント部品４０のケース１２に対する前側、左側、右側への変位を抑制するためにケース１２の左側壁部２０及び右側壁部２２に設けられる孔又は凹部の増加を抑制できる。これによって、ケース１２の左側壁部２０及び右側壁部２２の機械的強度又は剛性の低下を抑制でき、ひいては、ケース１２の機械的強度又は剛性の低下を抑制できる。これによって、ケース１２の小型化、軽量化等が可能になる。
【００６４】
一方、フロント部品４０においてケース１２の左側抑制部５０へ係合される左側係合部６２は、ケース１２の左側切欠部５８に形成され、フロント部品４０においてケース１２の右側抑制部５４へ係合される右側係合部６６は、ケース１２の右側切欠部６０に形成される。このため、このような左側係合部６２及び右側係合部６６は、フロント部品４０を成形する金型に左右方向（図１及び図２の矢印ＬＦ方向及び矢印ＲＴ方向）へスライド可能なスライドコア等の特別な構成を設けなくても形成できる。このため、フロント部品４０を成形するための金型におけるスライドコア等の特別な構成の増加を抑制でき、金型の構造を簡素化できる。これによって、金型を低コストにでき、ひいては、コネクタ１０を低コストにできる。
【００６５】
さらに、本コネクタ１０では、フロント部品４０をケース１２に対して下側から直線的にケース１２におけるフロント部品４０の配置位置へ接近させることによってフロント部品４０をケース１２へ組付けることができる。すなわち、本コネクタ１０では、「一方向組付け」によってフロント部品４０をケース１２に組付けることができる。このため、フロント部品４０のケース１２への組付けが容易で、フロント部品４０のケース１２への組付作業の作業効率を向上できる。また、「一方向組付け」によってフロント部品４０をケース１２に組付けることができるため、例えば、フロント部品４０のケース１２への組付けを組付装置によって自動化するにあたり、組付装置の組付動作が複雑になることを抑制でき、組付装置の構造が複雑になることを抑制できる。
【００６６】
また、本実施の形態では、フロント部品４０の一対の側板部７２に形成された突部７４は、ケース１２の左側壁部２０及び右側壁部２２の各々に形成された孔部７０に入ることによって、フロント部品４０のケース１２に対する下側への変位が抑制されればよい。このため、例えば、突部７４の前後方向（各図の矢印ＦＲ方向及び矢印ＲＥ方向）寸法及び左右方向（図１及び図２の矢印ＬＦ方向及び矢印ＲＴ方向）寸法は、突部７４が孔部７０に入れる寸法であればよい。このため、突部７４の前後方向（各図の矢印ＦＲ方向及び矢印ＲＥ方向）寸法及び左右方向寸法の管理を厳格にしなくてもよく、この意味で、フロント部品４０を低コストにできる。
【００６７】
なお、本実施の形態では、ケース１２の左側抑制部５０及び右側抑制部５４によってフロント部品４０のケース１２に対する前側、左側、右側への変位を抑制した。しかしながら、例えば、ケース１２の左側抑制部５０の左側当接面５２及び右側抑制部５４の右側当接面５６を左右方向（図１及び図２の矢印ＬＦ方向及び矢印ＲＴ方向）に対して平行な平面とし、ケース１２の左側抑制部５０及び右側抑制部５４がフロント部品４０のケース１２に対する前側への変位を抑制する構成としてもよい。
【００６８】
また、本実施の形態では、ケース１２の左側壁部２０に左側抑制部５０が設けられ、ケース１２の右側壁部２２に右側抑制部５４が設けられた構成であった。しかしながら、左側壁部２０に左側抑制部５０を設けて、右側壁部２２に右側抑制部５４を設けない構成としてもよいし、右側壁部２２に右側抑制部５４を設けて、左側壁部２０に左側抑制部５０を設けない構成としてもよい。
【００６９】
さらに、本実施の形態では、ケース１２の左側壁部２０及び右側壁部２２に孔部７０が形成され、フロント部品４０の側板部７２に突部７４が設けられた構成であった。しかしながら、壁部としての左側壁部２０及び右側壁部２２に突部が形成され、配置部品としてのフロント部品４０において左側壁部２０又は右側壁部２２と対向する部分である側板部７２に突部が入る孔部が形成される構成であってもよい。
【００７０】
さらに、本実施の形態では、フロント部品４０のケース１２に対する組付方向が一方向であったが、フロント部品４０をケース１２へ組付ける際のフロント部品４０の移動方向が二方向以上であってもよいし、フロント部品４０をケース１２へ組付ける際にフロント部品４０が回動される構成であってもよい。
【００７１】
また、本実施の形態では、配置部品をフロント部品４０としたが、配置部品は、例えば、上述したリテーナであってもよく、配置部品は、コネクタ本体としてのケース１２に組付けられる構成であれば、フロント部品４０に限定されることなく広く適用できる。
【００７２】
さらに、本実施の形態は、雌型のコネクタ１０に本発明を適用したが、雄型のコネクタに本発明を適用してもよい。
【符号の説明】
【００７３】
１０    コネクタ
１２    ケース（コネクタ本体）
２０    左側壁部（壁部）
２２    右側壁部（壁部）
４０    フロント部品（配置部品）
５０    左側抑制部（抑制手段）
５２    左側当接面（斜面）
５４    右側抑制部（抑制手段）
５６    右側当接面（斜面）
７０    孔部
７４    突部
【図１】
2018041567.tif 000003
【図２】
2018041567.tif 000004
【図３】
2018041567.tif 000005